(57)【要約】製氷機が開示される。本発明の一実施形態による製氷機は、流入通過部と排出通過部を内部に有する装置本体と、前記流入通過部と前記排出通過部をそれぞれ直接又は間接的に通過する流入口と排出口を備え、前記流入口と前記排出口に連結した流動空間を内部に形成する流動部と、前記流動部の周りの少なくとも一部に冷媒が流動するように構成され、前記流入口を介して前記流動空間の内部に流入して流動する冷却水を冷却することにより氷または冷水にする冷却部と、前記流動空間で生成された氷を前記流動空間から分離して前記排出口に移送する分離移送部と、前記流入口と前記排出口にそれぞれ連結されて前記流入口に水を供給するとともに、前記排出口から氷または冷水を受ける供給貯蔵部と、を含むことができる。
2019532244.tif 000002
【特許請求の範囲】
【請求項１】
流入通過部と排出通過部が形成された装置本体と、
前記流入通過部と前記排出通過部をそれぞれ直接又は間接的に通過する流入口と排出口を備え、前記流入口と前記排出口に連結した流動空間を形成する流動部と、
前記流動部の周りの少なくとも一部に冷媒を流動させて、前記流入口を介して前記流動空間に流入して流動する水を冷却して氷または冷水を生成する冷却部と、
前記流動空間で生成された氷を前記流動空間から分離して前記排出口に移送する分離移送部と、
前記流入口と前記排出口にそれぞれ連結されて前記流入口に水を供給し、前記排出口から氷または冷水を受ける供給貯蔵部と、
を含む、製氷機。
【請求項２】
前記分離移送部は、前記流動空間に回転可能に備えられたスクリュー部材を含み、
前記供給貯蔵部は、前記流入口に連結されたポンプを含む、請求項１に記載の製氷機。
【請求項３】
前記スクリュー部材を駆動して前記排出口から氷を排出させて前記供給貯蔵部に供給し、または
前記ポンプを駆動して前記排出口から冷水を排出させて前記供給貯蔵部に供給する、請求項２に記載の製氷機。
【請求項４】
前記供給貯蔵部は、氷を貯蔵する貯氷空間と、水を貯蔵する貯水空間を有する供給貯蔵部材をさらに含む、請求項３に記載の製氷機。
【請求項５】
前記供給貯蔵部材は、前記貯水空間と前記ポンプに連結された供給連結口を備えている、請求項４に記載の製氷機。
【請求項６】
前記供給貯蔵部は、一側が前記排出口に直接又は間接的に連結された供給貯蔵管をさらに含み、前記排出口から排出された氷を前記貯氷空間に供給して貯蔵し、前記排出口から排出された冷水を前記貯水空間に供給して貯蔵する、請求項５に記載の製氷機。
【請求項７】
前記供給貯蔵部材は、前記供給貯蔵部材に形成された貯蔵空間を前記貯氷空間と前記貯水空間とに分ける仕切り部材を備えている、請求項６に記載の製氷機。
【請求項８】
前記供給貯蔵管の他側は、前記供給貯蔵部材を貫通して前記貯水空間に位置する、請求項７に記載の製氷機。
【請求項９】
前記供給貯蔵管の他側端部には、氷又は冷水を排出する供給孔が前記貯氷空間に向けて形成され、
前記供給孔の下端部は、前記仕切り部材の上端部よりも低く位置し、前記供給孔の上端部は、前記仕切り部材の上端部よりも高く位置する、請求項８に記載の製氷機。
【請求項１０】
前記供給貯蔵管の他側端部には、氷又は冷水を排出する供給孔が前記貯氷空間に向けて形成され、
前記供給貯蔵部は、前記供給貯蔵管の他側端部に連結され、前記供給孔から排出される氷と冷水を前記貯氷空間と前記貯水空間にそれぞれ供給するようにガイドする供給ガイド部材をさらに含む、請求項８に記載の製氷機。
【請求項１１】
前記供給ガイド部材に、前記供給孔と連通する氷ガイド孔が前記貯氷空間に向けて形成され、
前記氷ガイド孔の下端部は、前記供給孔の下端部よりも高く位置する、請求項１０に記載の製氷機。
【請求項１２】
前記供給ガイド部材に、前記氷ガイド孔の下端部から前記貯氷空間に延長され、前記氷ガイド孔から排出される氷を前記貯氷空間に供給するようにガイドする延長ガイド部が形成される、請求項１１に記載の製氷機。
【請求項１３】
前記供給貯蔵部は、前記供給孔から排出される冷水を通過させながら異物を除去し、前記貯水空間に流動するようにする異物除去部材をさらに含む、請求項９又は１０に記載の製氷機。
【請求項１４】
前記異物除去部材に、冷水に含まれている異物をろ過するメッシュ部材を備えた、請求項１３に記載の製氷機。
【請求項１５】
前記異物除去部材は、前記供給貯蔵管又は前記供給貯蔵管に連結される供給ガイド部材に分離可能に連結される、請求項１４に記載の製氷機。
【請求項１６】
前記流動部は、
前記流入口を備えた流入部材と、
前記流入部材に連結され、前記流動空間が形成された流動部材と、
前記流動部材に連結され、前記排出口を備えた排出部材と、を含む、請求項３に記載の製氷機。
【請求項１７】
前記流動部は、前記排出口に連結される排出延長部材をさらに含み、
前記供給貯蔵部に含まれ、前記排出延長部材に連結される供給貯蔵管が、前記排出通過部に連結された、請求項１６に記載の製氷機。
【請求項１８】
前記冷却部は、前記流動部の少なくとも一部を覆って前記流動部との間に冷媒が流動する冷媒流動空間を形成し、冷媒流入口と冷媒流出口が連結される冷媒空間形成部材を含む、請求項３に記載の製氷機。
【発明の詳細な説明】
【技術分野】
【０００１】
本発明は氷を製造する製氷機に関する。
【背景技術】
【０００２】
製氷機は、氷を製造するものである。
【０００３】
かかる製氷機としては、水受け部に収容されている水に、冷媒が流動する蒸発器に連結された浸漬部材が浸漬されるようすることで、浸漬部材に氷が生成されるようにする浸漬式製氷機がある。また、冷媒が流動する蒸発器が備えられ、氷生成部が形成された製氷板の氷生成部に水を噴射することにより、氷生成部に氷が生成されるようにする噴射式製氷機もある。そして、冷媒が流動する蒸発器が備えられ、氷生成部が形成された製氷板の氷生成部に水が流れるようにすることで、氷生成部に氷が生成されるようにする流水式製氷機もある。
【０００４】
それ以外にも、水が流動する流動空間の周りに冷媒が流動するようにして流動空間の内周面に氷が生成されるようし、スクリュー部材が流動空間内で回転するようにすることで、流動空間の内周面から氷を分離及び移送させて外部に排出するオーガ式製氷機もある。
【０００５】
かかる従来のオーガ式製氷機は、氷だけを製造し、冷水は生成できなかった。
【発明の概要】
【発明が解決しようとする課題】
【０００６】
本発明は、上述のような従来から発生する要求又は問題の少なくともいずれか一つを認識してなされたものである。
【０００７】
本発明の目的の一側面は、製氷機で氷だけでなく、冷水も生成できるようにすることにある。
【０００８】
本発明の目的の他の側面は、製氷機の冷却性能を向上させることにある。
【課題を解決するための手段】
【０００９】
上記課題の少なくとも一つの課題を実現するための一実施形態に係る製氷機は、次のような特徴を含むことができる。
【００１０】
本発明の一実施形態による製氷機は、流入通過部と排出通過部が形成された装置本体と、上記流入通過部と上記排出通過部をそれぞれ直接又は間接的に通過する流入口と排出口を備え、上記流入口と上記排出口に連結した流動空間を形成する流動部と、上記流動部の周りの少なくとも一部に冷媒を流動させて、上記流入口を介して上記流動空間に流入して流動する水を冷却して氷または冷水を生成する冷却部と、上記流動空間で生成された氷を上記流動空間から分離して上記排出口に移送する分離移送部と、上記流入口と上記排出口にそれぞれ連結されて上記流入口に水を供給し、上記排出口から氷または冷水を受ける供給貯蔵部と、を含むことができる。
【００１１】
この場合、上記分離移送部は、上記流動空間に回転可能に備えられたスクリュー部材を含み、上記供給貯蔵部は、上記流入口に連結されたポンプを含むことができる。
【００１２】
また、上記スクリュー部材を駆動して上記排出口から氷を排出させて上記供給貯蔵部に供給するように構成し、または、上記ポンプを駆動して上記排出口から冷水を排出させて上記供給貯蔵部に供給するように構成することができる。
【００１３】
そして、上記供給貯蔵部は、氷を貯蔵する貯氷空間と、水を貯蔵する貯水空間を有する供給貯蔵部材をさらに含むことができる。
【００１４】
また、上記供給貯蔵部材は、上記貯水空間と上記ポンプに連結された供給連結口を備えることができる。
【００１５】
そして、上記供給貯蔵部は、一側が上記排出口に直接又は間接的に連結された供給貯蔵管をさらに含み、上記排出口から排出された氷を上記貯氷空間に供給して貯蔵されるように構成し、または、上記排出口から排出された冷水を上記貯水空間に供給して貯蔵するように構成することができる。
【００１６】
また、上記供給貯蔵部材は仕切り部材を備え、上記供給貯蔵部材に形成された貯蔵空間を上記貯氷空間と貯水空間とに分けることができる。
【００１７】
そして、上記供給貯蔵管の他側は、上記供給貯蔵部材を貫通して上記貯水空間に位置することができる。
【００１８】
また、上記供給貯蔵管の他側端部には、氷又は冷水を排出する供給孔が上記貯氷空間に向けて形成され、上記供給孔の下端部は、上記仕切り部材の上端部よりも低く位置し、上記供給孔の上端部は、上記仕切り部材の上端部よりも高く位置することができる。
【００１９】
そして、上記供給貯蔵管の他側端部は、氷又は冷水を排出する供給孔が上記貯氷空間に向けて形成され、上記供給貯蔵部は、上記供給貯蔵管の他側端部に連結され、上記供給孔から排出される氷と冷水を上記貯氷空間と上記貯水空間にそれぞれ供給するようにガイドする供給ガイド部材をさらに含むことができる。
【００２０】
また、上記供給ガイド部材に、上記供給孔と連通する氷ガイド孔が上記貯氷空間に向けて形成され、上記氷ガイド孔の下端部は、上記供給孔の下端部よりも高く位置することができる。
【００２１】
そして、上記供給ガイド部材に、上記氷ガイド孔の下端部から上記貯氷空間に延長され、上記氷ガイド孔から排出される氷を上記貯氷空間に供給するようにガイドする延長ガイド部が形成されることができる。
【００２２】
また、上記供給貯蔵部は、上記供給孔から排出される冷水を通過させながら異物を除去し、上記貯水空間に流動するようにする異物除去部材をさらに含むことができる。
【００２３】
そして、上記異物除去部材に、冷水に含まれている異物をろ過するメッシュ部材を備えることができる。
【００２４】
また、上記異物除去部材は、上記供給貯蔵管又は上記供給貯蔵管に連結される供給ガイド部材に分離可能に連結されることができる。
【００２５】
そして、上記流動部は、上記流入口を備えた流入部材と、上記流入部材に連結され、上記流動空間が形成された流動部材と、上記流動部材に連結され、上記排出口を備えた排出部材と、を含むことができる。
【００２６】
また、上記流動部は、上記排出口に連結される排出延長部材をさらに含み、上記供給貯蔵部に含まれ、上記排出延長部材に連結される供給貯蔵管が、上記排出通過部に連結されることができる。
【００２７】
そして、上記冷却部は、上記流動部の少なくとも一部を覆って上記流動部との間に冷媒が流動する冷媒流動空間を形成し、冷媒流入口と冷媒流出口が連結される冷媒空間形成部材を含むことができる。
【発明の効果】
【００２８】
以上のように、本発明の実施形態によると、製氷機に含まれる流動部に形成された流動空間を流動する水は、流動部の周りの少なくとも一部を流動する冷媒によって冷却されて、氷または冷水を生成することができる。
【００２９】
また、本発明の実施形態によると、製氷機は、氷だけでなく、冷水も生成することができる。
【００３０】
さらに、本発明の実施形態によると、製氷機の冷却性能を向上させることができる。
【図面の簡単な説明】
【００３１】
【図１】本発明による製氷機の一実施形態の斜視図である。
【図２】本発明による製氷機の一実施形態の装置本体、流動部、冷却部、及び分離移送部の分解斜視図である。
【図３】本発明による製氷機の一実施形態の供給貯蔵部の分解斜視図である。
【図４】図１のＩ−Ｉ’線に沿った断面図である。
【図５】図１のＩＩ−ＩＩ’線に沿った断面図である。
【図６】本発明による製氷機の一実施形態の作動を示す図であり、本発明による製氷機の一実施形態の冷却部に冷媒が流動する様子を示す図である。
【図７】本発明による製氷機の一実施形態の作動を示す図であり、本発明による製氷機の一実施形態の製氷時を示す図である。
【図８】本発明による製氷機の一実施形態の作動を示す図であり、本発明による製氷機の一実施形態の製氷時を示す図である。
【図９】本発明による製氷機の一実施形態の作動を示す図であり、本発明による製氷機の一実施形態の製氷時を示す図である。
【図１０】本発明による製氷機の一実施形態の作動を示す図であり、本発明による製氷機の一実施形態の冷水生成時を示す図である。
【図１１】本発明による製氷機の一実施形態の作動を示す図であり、本発明による製氷機の一実施形態の冷水生成時を示す図である。
【図１２】本発明による製氷機の一実施形態の作動を示す図であり、本発明による製氷機の一実施形態の冷水生成時を示す図である。
【図１３】本発明による製氷機の一実施形態の供給貯蔵部の他の実施形態を示す部分拡大斜視図である。
【図１４】本発明による製氷機の一実施形態の供給貯蔵部の他の実施形態の供給ガイド部材を供給貯蔵管から分離した様子を示す部分拡大斜視図である。
【図１５】図１３のＩＩＩ−ＩＩＩ’線に沿った拡大断面図である。
【図１６】図１３のＩＶ−ＩＶ’線に沿った拡大断面図である。
【図１７】本発明による製氷機の一実施形態の供給貯蔵部のさらに他の実施形態を示す、図１６と同様の部分拡大断面図である。
【図１８】本発明による製氷機の一実施形態の供給貯蔵部のさらに他の実施形態の異物除去部材を供給ガイド部材から分離した様子を示す斜視図である。
【発明を実施するための形態】
【００３２】
上述の本発明の特徴に対する理解を助けるために、以下に本発明の実施形態に係る製氷機を、より詳細に説明する。
【００３３】
以下で説明される実施形態は、本発明の技術的な特徴を理解させるのに最も適した実施形態を基に説明されるものであり、説明される実施形態によって本発明の技術的な特徴が制限されるものではなく、以下で説明される実施形態のように、本発明を実現することができるということを例示するものである。したがって、本発明は、以下で説明された実施形態を介して本発明の技術範囲内で様々な変形実施が可能であり、かかる変形実施形態は、本発明の技術範囲内に属するといえる。そして、以下で説明される実施形態の理解を助けるために添付された図面に記載された符号において、各実施形態において同一作用をする構成要素のうち関連する構成要素は、同一又は延長線上の数字で表記した。
【００３４】
以下、図１〜図１８を参照して本発明による製氷機の一実施形態について説明する。
【００３５】
図１は本発明による製氷機の一実施形態の斜視図であり、図２は本発明による製氷機の一実施形態の装置本体、流動部、冷却部、及び分離移送部の分解斜視図であり、図３は本発明による製氷機の一実施形態の供給貯蔵部の分解斜視図である。
【００３６】
また、図４は図１のＩ−Ｉ’線に沿った断面図であり、図５は図１のＩＩ−ＩＩ’線に沿った断面図である。
【００３７】
そして、図６〜図１２は本発明による製氷機の一実施形態の作動を示す図であり、図６は本発明による製氷機の一実施形態の冷却部で冷媒が流動する様子を示す図であり、図７〜図９は、本発明による製氷機の一実施形態の製氷時を示す図であり、図１０〜図１２は本発明による製氷機の一実施形態の冷水生成時を示す図である。
【００３８】
また、図１３は本発明による製氷機の一実施形態の供給貯蔵部の他の実施形態を示す部分拡大斜視図であり、図１４は本発明による製氷機の一実施形態の供給貯蔵部の他の実施形態による供給ガイド部材を供給貯蔵管から分離した様子を示す部分拡大斜視図であり、図１５は図１３のＩＩＩ−ＩＩＩ’線に沿った拡大断面図であり、図１６は図１３のＩＶ−ＩＶ’線に沿った拡大断面図である。
【００３９】
そして、図１７は本発明による製氷機の一実施形態の供給貯蔵部のさらに他の実施形態を示す、図１６と同様の部分拡大断面図であり、図１８は本発明による製氷機の一実施形態の供給貯蔵部のさらに他の実施形態の異物除去部材を供給ガイド部材から分離した様子を示す斜視図である。
【００４０】
本発明による製氷機１００の一実施形態は、装置本体２００、流動部３００、冷却部４００、分離移送部５００、及び供給貯蔵部６００を含むことができる。
【００４１】
装置本体２００には、流入通過部２１１と排出通過部２１２が形成されることができる。流動部３００に備えられる流入口３１１は、流入通過部２１１を直接又は間接的に通過することができる。また、流動部３００に備えられる後述の排出口３３１は、排出通過部２１２を直接又は間接的に通過することができる。
【００４２】
例えば、図５に示されているように、流動部３００の流入口３１１は、流入通過部２１１を直接的に通過することができる。
【００４３】
また、流動部３００の排出口３３１には、図４に示されているように後述の排出延長部材３４０が連結されることができる。そして、流動部３００の排出延長部材３４０が排出通過部２１２を通過することで、流動部３００の排出口３３１が排出通過部２１２を間接的に通過することができる。
【００４４】
しかしながら、流動部３００の流入口３１１と排出口３３１が流入通過部２１１と排出通過部２１２を通過する構成は特に限定されることはなく、直接又は間接的に通過できる構成であれば、周知のいかなる構成でも用いることができる。
【００４５】
そして、流入通過部２１１と排出通過部２１２の形状と構成は特に限定されることはなく、流動部３００の流入口３１１と排出口３３１が通過できる形状と構成であれば、いかなる形状と構成でも可能である。
【００４６】
装置本体２００は、図１と図２に示されているように、上述の流入通過部２１１の一部分と排出通過部２１２が形成される上部本体２１０と、上部本体２１０と結合され、流入通過部２１１の残りの部分が形成される下部本体２２０と、を含むことができる。しかしながら、装置本体２００を一体に形成することもできる。
【００４７】
流動部３００は、装置本体２００の上述の流入通過部２１１と排出通過部２１２をそれぞれ直接又は間接的に通過する流入口３１１と排出口３３１を備えることができる。また、流動部３００には、流入口３１１と排出口３３１に連結される流動空間ＳＣが形成されることができる。
【００４８】
例えば、供給貯蔵部６００に形成される後述の貯水空間ＳＷに貯蔵されている水は、流動部３００の流入口３１１を介して、図８と図１１に示されているように流動空間ＳＣに流入することができる。
【００４９】
そして、図７に示されているように、流動空間ＳＣで生成され、分離移送部５００によって分離されて移送された氷Ｉは、流動部３００の排出口３３１を介して排出することができる。
【００５０】
また、図１０に示されているように、流動空間ＳＣで生成された冷水は、流動部３００の排出口３３１を介して排出することができる。
【００５１】
図２に示されているように、流動部３００は、流入部材３１０、流動部材３２０、及び排出部材３３０を含むことができる。
【００５２】
流入部材３１０は、上述の流入口３１１を備えることができる。
【００５３】
流入部材３１０は、図２と図４に示されているようにドレン口３１２も備えることができる。ドレン口３１２は、開閉弁（不図示）を備えることができる。そして、ドレン口３１２の開閉弁を開放すると、流動空間ＳＣに収容されている水を、ドレン口３１２を介して外部に排水することができる。
【００５４】
図４と図５に示されているように分離移送部５００に含まれる後述のスクリュー部材５１０の一側は、流入部材３１０に挿入され、回転可能とすることができる。そのために、流入部材３１０は、ベアリング（不図示）などを備えることができる。
【００５５】
流動部材３２０は、流入部材３１０に連結することができ、上述の流動空間ＳＣは、流動部材３２０に形成することができる。
【００５６】
流動部材３２０は、図２に示されているように、例えば円筒状であることができる。しかしながら、流動部材３２０の形状は、特に限定されることはなく、流入部材３１０に連結され、且つ流動空間ＳＣが形成されることができる形状であれば、いかなる形状でも可能である。
【００５７】
排出部材３３０は、流動部材３２０に連結することができる。排出部材３３０は、上述の排出口３３１を備えることができる。
【００５８】
分離移送部５００の後述のスクリュー部材５１０の他側は、排出部材３３０を貫通し、回転可能に備えられることができる。そのために、排出部材３３０は、ベアリング（不図示）などを含むことができる。
【００５９】
排出部材３３０には、図４に示されているように流動空間ＳＣと排出口３３１を連結する螺旋状の連結部３３２を形成することができる。
【００６０】
流動部材３２０の流動空間ＳＣには、分離移送部５００のスクリュー部材５１０を回転可能に備えており、スクリュー部材５１０に形成された螺旋状の分離移送刃５１１によって螺旋状の流路を形成することができる。
【００６１】
かかる流動空間ＳＣの螺旋状の流路は、上述の排出部材３３０の螺旋状の連結部３３２と自然に連結することができる。
【００６２】
これにより、後述のようにスクリュー部材５１０によって流動空間ＳＣから分離された氷Ｉは、図７と図８に示されているようにスクリュー部材５１０によって、流動空間ＳＣの螺旋状の流路と排出部材３３０の連結部３３２を介して、排出口３３１に容易に移送され、外部に排出されることができる。
【００６３】
また、流動空間ＳＣで生成された冷水は、図１０と図１１に示されているように流動空間ＳＣの螺旋状の流路と排出部材３３０の連結部３３２を介して、排出口３３１に容易に流動し、外部に排出されることができる。
【００６４】
流動部３００は、排出延長部材３４０をさらに含むことができる。
【００６５】
排出延長部材３４０は、排出口３３１に連結することができる。そして、供給貯蔵部６００に含まれる後述の供給貯蔵管６３０が装置本体２００の上述の排出通過部２１２に連結されることによって、排出延長部材３４０は、供給貯蔵管６３０に連結することができる。
【００６６】
これにより、図７に示されているように、排出口３３１から排出された氷Ｉは、排出延長部材３４０と供給貯蔵管６３０を介して供給貯蔵部６００、例えば、供給貯蔵部６００に含まれる後述の供給貯蔵部材６２０に供給されることができる。
【００６７】
また、図１０に示されているように、排出口３３１から排出された冷水は、排出延長部材３４０と供給貯蔵管６３０を流動して供給貯蔵部６００の供給貯蔵部材６２０に供給されることができる。
【００６８】
冷却部４００は、流動部３００の周りの少なくとも一部に冷媒を流動させることができる。これにより、流動部３００の流入口３１１を介して流動空間ＳＣに流入し流動空間ＳＣを流動する水から冷媒に熱を伝達することができる。そして、流動部３００の流動空間ＳＣを流動する水を冷媒によって冷却して、図７と図８に示されているように氷Ｉにしたり、図９と図１０に示されているように冷水にすることができる。
【００６９】
冷却部４００は、冷媒空間形成部材４１０を含むことができる。冷媒空間形成部材４１０は、流動部３００の少なくとも一部、例えば図４と図５に示されているように、流動部３００において流動部材３２０の両端部を除いた残りの部分を覆うように構成することができる。これによって、冷媒空間形成部材４１０と流動部３００との間、例えば冷媒空間形成部材４１０と流動部３００の流動部材３２０との間に、冷媒が流動する冷媒流動空間ＳＲを形成することができる。
【００７０】
これにより、冷媒と流動空間ＳＣを流動する水との熱交換経路を最小にすることができる。即ち、図示の実施形態における冷媒は、流動部３００の流動部材３２０のみを介して、流動空間ＳＣを流動する水と熱交換をすることができる。
【００７１】
したがって、流動部３００の流動空間ＳＣを流動する水の冷媒による冷却効率が向上することができ、これによって冷却性能が向上することができる。
【００７２】
冷媒空間形成部材４１０には、冷媒流入口４１１と冷媒流出口４１２を連結することができる。
そのために、図２に示されているように、冷媒空間形成部材４１０には、冷媒流入口４１１を連結する流入連結孔４１０ａと、冷媒流出口４１２を連結する流出連結孔４１０ｂとを形成することができる。そして、図６に示されているように、冷媒は、冷媒流入口４１１を介して冷媒流動空間ＳＲに流入し、冷媒流動空間ＳＲを流動した後に冷媒流出口４１２を介して流出することができる。
【００７３】
冷却部４００は、冷媒空間形成部材４１０と流動部３００、例えば、冷媒空間形成部材４１０と流動部３００の流動部材３２０との間の開放された部分を密閉するように覆って、冷媒空間形成部材４１０と共に冷媒流動空間ＳＲを形成する密閉蓋部材４２０をさらに含むことができる。
【００７４】
密閉蓋部材４２０は、例えば図２に示されているように、リング状に構成することができる。しかしながら、密閉蓋部材４２０の形状は、特に限定されることはなく、冷媒空間形成部材４１０と流動部３００、例えば、冷媒空間形成部材４１０と流動部３００の流動部材３２０との間の開放された部分を密閉するように覆って、冷媒空間形成部材４１０と共に冷媒流動空間ＳＲを形成する形状であれば、いかなる形状でも可能である。
【００７５】
分離移送部５００は、流動部３００の流動空間ＳＣに生成された氷Ｉを流動空間ＳＣから分離して流動部３００の排出口３３１に移送させることができる。
【００７６】
分離移送部５００は、スクリュー部材５１０を含むことができる。スクリュー部材５１０は、流動部３００の流動空間ＳＣに回転可能に備えることができる。
【００７７】
上述のように、スクリュー部材５１０の一側は、流動部３００の流入部材３１０を貫通して回転可能に備えられ、スクリュー部材５１０の他側は、流動部３００の排出部材３３０を貫通して回転可能に備えられることができる。また、流動部３００の排出部材３３０を貫通したスクリュー部材５１０の他側は、分離移送モーター（不図示）にギア（不図示）とチェーン（不図示）などによって連結することができる。そして、スクリュー部材５１０は、分離移送モーターによって駆動、即ち回転することができる。
【００７８】
スクリュー部材５１０は、螺旋状の分離移送刃５１１を形成することができる。螺旋状の分離移送刃５１１によって流動部３００の流動空間ＳＣに螺旋状の流路を形成されることができる。
【００７９】
かかる構成において、分離移送モーターによってスクリュー部材５１０が回転すると、流動空間ＳＣの内周面に生成された氷Ｉは、スクリュー部材５１０の分離移送刃５１１によって分離することができる。このように流動部３００の流動空間ＳＣの内周面から分離された氷Ｉは、図７と図８に示されているようにスクリュー部材５１０の分離移送刃５１１によって流動空間ＳＣの螺旋状の流路を介して、流動部３００の排出口３３１に移送することができる。
【００８０】
そして、流動部３００の排出口３３１に移送された氷Ｉは、排出口３３１から排出されて、例えば排出延長部材３４０と供給貯蔵管６３０を介して供給貯蔵部６００に供給することができる。
【００８１】
供給貯蔵部６００は、流動部３００の流入口３１１と排出口３３１にそれぞれ連結することができる。そして、供給貯蔵部６００は、図７と図８、及び図１０と図１１に示されているように流動部３００の流入口３１１に水を供給し、流動部３００の排出口３３１から氷Ｉまたは冷水を供給されることができる。
【００８２】
供給貯蔵部６００は、流動部３００の流入口３１１に連結されるポンプ６１０を含むことができる。ポンプ６１０は、複数個の連結管ＴＣによって流動部３００の流入口３１１に連結することができる。
【００８３】
また、ポンプ６１０は、図１に示されているように、例えば連結管ＴＣによって供給貯蔵部材６２０に備えられる供給連結口６２２に連結され、後述の供給貯蔵部材６２０に形成された貯水空間ＳＷに連結することができる。
【００８４】
これにより、ポンプ６１０が駆動すると、図１０と図１１に示されているように供給貯蔵部材６２０の貯水空間ＳＷに貯蔵されている水は、流動部３００の流入口３１１に流入し、流動部３００の流動空間ＳＣを流動することができる。
【００８５】
この場合、流動部３００の流動空間ＳＣを流動する水の流速が比較的速いため、流動空間ＳＣを流動する水が冷却部４００によって冷却されても、流動空間ＳＣで氷Ｉを生成することができないか、または、流動空間ＳＣで比較的少量の氷Ｉしか生成することができない。
【００８６】
したがって、流動部３００の流動空間ＳＣを流動しながら冷却部４００によって冷却された水は、冷水となって、図１１に示されているように流動部３００の排出口３３１を介して排出することができる。そして、流動部３００の排出口３３１を介して排出された冷水は、例えば排出延長部材３４０と供給貯蔵管６３０を介して供給貯蔵部６００に供給することができる。
【００８７】
一方、ポンプ６１０が駆動しなくても、図４に示されているように供給貯蔵部６００が流動部３００の上に位置する場合には、供給貯蔵部６００の供給貯蔵部材６２０の貯水空間ＳＷに貯蔵されている水は、図７と図８に示されているように高さの差によって、ポンプ６１０に形成された流路（不図示）を通過して流動部３００の流入口３１１に流入し、流動空間ＳＣを流動することができる。
【００８８】
このような場合には、流動部３００の流動空間ＳＣを流動する水の流速が比較的遅いため、流動空間ＳＣを流動する水が冷却部４００によって冷却されることで、流動空間ＳＣで氷Ｉを生成することができる。
【００８９】
このように、流動部３００の流動空間ＳＣで生成された氷Ｉは、上述のように、分離移送モーターによるスクリュー部材５１０の回転によって流動空間ＳＣから分離され、図７に示されているように流動部３００の排出口３３１に移送されることができる。
【００９０】
そして、流動部３００の排出口３３１に移送された氷Ｉは、排出口３３１から排出され、例えば排出延長部材３４０と供給貯蔵管６３０を介して供給貯蔵部６００に供給することができる。
【００９１】
供給貯蔵部６００は、供給貯蔵部材６２０をさらに含むことができる。供給貯蔵部材６２０には、氷Ｉを貯蔵する貯氷空間ＳＩと、水を貯蔵する貯水空間ＳＷとを形成することができる。
【００９２】
例えば、図３に示されているように、仕切り部材６２１を供給貯蔵部材６２０に設けて、供給貯蔵部材６２０に形成された貯蔵空間ＳＳを貯氷空間ＳＩと貯水空間ＳＷとに分けることができる。
【００９３】
供給貯蔵部材６２０の上部は、開放することができる。そして、水道や、水をろ過する浄水フィルタを含む浄水器などのような水処理装置のろ過部など、水供給源（不図示）の水は、水供給源に連結された供給管（不図示）を流動し、供給貯蔵部材６２０の開放された上部を介して貯水空間ＳＷに流入して貯蔵されることができる。しかしながら、供給貯蔵部材６２０の貯水空間ＳＷに水供給源の水が供給される構成は特に限定されることはなく、周知のいかなる構成でも可能である。
【００９４】
供給貯蔵部材６２０は、図３と図４に示されているように供給連結口６２２を備えることができる。供給連結口６２２は、供給貯蔵部材６２０の貯水空間ＳＷに連結することができる。また、供給連結口６２２は、連結管ＴＣによって上述のポンプ６１０に連結することができる。
【００９５】
これにより、供給貯蔵部材６２０の貯水空間ＳＷは、流動部３００の流入口３１１と連結することができる。
【００９６】
そして、図７と図８に示されているように、供給貯蔵部材６２０の貯水空間ＳＷに貯蔵されている水は、ポンプ６１０の駆動によって供給連結口６２２と連結管ＴＣを介して流動部３００の流入口３１１に流動することができる。
【００９７】
また、図１０と図１１に示されているように、供給貯蔵部材６２０の貯水空間ＳＷに貯蔵されている水は、高さの差によってポンプ６１０の流路を通過し、供給連結口６２２と連結管ＴＣを介して流動部３００の流入口３１１に流動することができる。
【００９８】
このように、流動部３００の流入口３１１に流動した水は、流入口３１１を介して流動部３００の流動空間ＳＣに流入することができる。
【００９９】
供給貯蔵部材６２０の貯氷空間ＳＩには、図３に示されているように移送部材ＦＤを回転可能に備えることができる。また、移送部材ＦＤは、供給貯蔵部材６２０に備えられる移送モーターＭＴに連結され、移送モーターＭＴによって回転することができる。そして、移送モーターＭＴの回転によって移送部材ＦＤが回転すると、供給貯蔵部材６２０の貯氷空間ＳＩに貯蔵されている氷Ｉは、供給貯蔵部材６２０の氷排出口ＥＩを介して外部に排出されて、ユーザーに供給することができる。
【０１００】
供給貯蔵部６００は、供給貯蔵管６３０をさらに含むことができる。供給貯蔵管６３０は、一側が流動部３００の排出口３３１に直接又は間接的に連結することができる。例えば、供給貯蔵管６３０は、装置本体２００の排出通過部２１２に連結されることによって、流動部３００の排出口３３１に連結された排出延長部材３４０に連結することができ、したがって、排出口３３１に間接的に連結することができる。しかしながら、供給貯蔵管６３０は、流動部３００の排出口３３１に直接連結することもできる。
【０１０１】
供給貯蔵管６３０は、排出口３３１から排出された氷Ｉを図９に示されているように供給貯蔵部材６２０の貯氷空間ＳＩに供給して貯蔵することができるようにしたり、又は排出口３３１から排出された冷水を図１２に示されているように供給貯蔵部材６２０の貯水空間ＳＷに供給して貯蔵することができるようにすることができる。
【０１０２】
そのために、供給貯蔵管６３０の他側は、供給貯蔵部材６２０を貫通して供給貯蔵部材６２０の貯水空間ＳＷに位置することができる。
【０１０３】
例えば、供給貯蔵部材６２０の貯水空間ＳＷ側には、図３と図４に示されているように貫通部６２３が形成され、供給貯蔵管６３０の他側は、供給貯蔵部材６２０の貫通部６２３を貫通して、供給貯蔵部材６２０の貯水空間ＳＷに位置させることができる。
【０１０４】
また、供給貯蔵管６３０の他側端部には、氷Ｉ又は冷水が排出される供給孔６３１を供給貯蔵部材６２０の貯氷空間ＳＩに向けて形成することができる。
【０１０５】
そして、供給孔６３１の下端部を、供給貯蔵部材６２０の仕切り部材６２１の上端部よりも低く位置させることができる。また、供給孔６３１の上端部を、仕切り部材６２１の上端部よりも高く位置させることができる。
【０１０６】
これによって、流動部３００の排出口３３１から排出されて排出延長部材３４０と供給貯蔵管６３０を介して供給孔６３１に移送された氷Ｉは、図９に示されているように供給貯蔵部材６２０の仕切り部材６２１を越えて貯氷空間ＳＩに供給され、貯氷空間ＳＩで貯蔵することができる。
【０１０７】
また、流動部３００の排出口３３１から排出されて排出延長部材３４０と供給貯蔵管６３０を介して供給孔６３１に流動した冷水は、供給貯蔵部材６２０の仕切り部材６２１を超えることができないため、図１２に示されているように供給貯蔵部材６２０の貯水空間ＳＷに供給され、貯水空間ＳＷで貯蔵することができる。
【０１０８】
このように、供給貯蔵部材６２０の貯水空間ＳＷに貯蔵された冷水は、貯水空間ＳＷに連結される冷水排出管（不図示）と、冷水排出管に連結されるコックや蛇口（不図示）などによって外部に排出されて、ユーザーに供給することができる。
【０１０９】
また、供給貯蔵部材６２０の貯水空間ＳＷに貯蔵されている冷水は、上述の供給連結口６２２とポンプ６１０及び流動部３００の流入口３１１を介して流動部３００の流動空間ＳＣに供給することができる。
【０１１０】
このように、流動部３００の流動空間ＳＣに冷水が供給されると、氷Ｉをより容易に且つ迅速に流動空間ＳＣで生成することができる。また、冷水が供給貯蔵部材６２０の貯水空間ＳＷと流動部３００の流動空間ＳＣとの間を循環するため、所定温度の冷水をより容易に且つ迅速に製造することができる。また、冷水の温度が所定温度以上に上昇した場合、冷水が所定温度以下となるように冷水を循環させることができる。
【０１１１】
一方、供給貯蔵部６００は、図１３に示されているように供給ガイド部材６４０をさらに含むことができる。
【０１１２】
供給ガイド部材６４０は、供給貯蔵管６３０の他側端部に連結することができる。例えば、図１５と図１６に示されているように、供給ガイド部材６４０に供給貯蔵管６３０の他側端部を挿入することによって、供給ガイド部材６４０を供給貯蔵管６３０の他側端部に連結することができる。しかしながら、供給ガイド部材６４０が供給貯蔵管６３０の他側端部に連結される構成は特に限定されることはなく、周知のいかなる構成でも可能である。
【０１１３】
供給ガイド部材６４０は、供給貯蔵管６３０の他側端部に形成された供給孔６３１から排出される氷Ｉ又は冷水がそれぞれ供給貯蔵部材６２０の貯氷空間ＳＩまたは貯水空間ＳＷに供給されるようにガイドすることができる。
【０１１４】
そのために、供給ガイド部材６４０には、供給貯蔵管６３０の供給孔６３１と連通する氷ガイド孔６４１を供給貯蔵部材６２０の貯氷空間ＳＩに向けて形成することができる。また、供給ガイド部材６４０の氷ガイド孔６４１の下端部を、供給貯蔵管６３０の供給孔６３１よりも高く位置させることができる。そして、供給ガイド部材６４０には、氷ガイド孔６４１の下端部から供給貯蔵部材６２０の貯氷空間ＳＩに延長される延長ガイド部６４２を形成することができる。
【０１１５】
これによって、流動部３００の排出口３３１から排出されて排出延長部材３４０と供給貯蔵管６３０を介して供給孔６３１に移送された氷Ｉは、供給貯蔵管６３０の供給孔６３１から排出することができる。このように、供給貯蔵管６３０の供給孔６３１から排出した氷Ｉは、供給ガイド部材６４０の氷ガイド孔６４１を通過して延長ガイド部６４２によってガイドされることにより、供給貯蔵部材６２０の貯氷空間ＳＩに供給して貯蔵することができる。
【０１１６】
また、流動部３００の排出口３３１から排出され、排出延長部材３４０と供給貯蔵管６３０を介して供給孔６３１に流動した冷水は、供給ガイド部材６４０の氷ガイド孔６４１を超えることができない。したがって、供給貯蔵管６３０の供給孔６３１から排出された冷水は、供給ガイド部材６４０と供給貯蔵管６３０との間の空間を介して供給貯蔵部材６２０の貯水空間ＳＷに供給して貯蔵することができる。
【０１１７】
一方、供給貯蔵部６００は、図１７と図１８に示されているように異物除去部材６５０をさらに含むことができる。
【０１１８】
供給貯蔵管６３０の供給孔６３１から排出される冷水は、異物除去部材６５０を通過することができる。冷水は、異物除去部材６５０を通過しながら異物が除去され、供給貯蔵部材６２０の貯水空間ＳＷに流動することができる。これによって、供給貯蔵部材６２０の貯水空間ＳＷには、異物が除去された冷水を貯蔵することができるため、よりきれいな冷水をユーザーに提供することができる。
【０１１９】
異物除去部材６５０には、メッシュ部材６５１を備えることができる。そして、冷水に含まれている異物は、メッシュ部材６５１によってろ過されて冷水から除去することができる。メッシュ部材６５１は、特に限定されることはなく、冷水に含まれている異物をろ過して除去することができるものであれば、周知のいかなるものでも可能である。
【０１２０】
異物除去部材６５０には、メッシュ部材６５１が備えられる設置孔６５２を形成することができる。また、異物除去部材６５０には、一側は開放され、他側は設置孔６５２と連通する収集空間６５３を形成することができる。これにより、供給貯蔵管６３０の供給孔６３１から排出される冷水は、収集空間６５３の開放された一側を介して収集空間６５３に流入し、設置孔６５２を通過しながらメッシュ部材６５１によって異物を除去することができる。また、メッシュ部材６５１によって冷水から除去された異物は、収集空間６５３に集めることができる。
【０１２１】
異物除去部材６５０は、供給貯蔵管６３０又は供給貯蔵管６３０に連結される供給ガイド部材６４０と分離可能に連結することができる。つまり、異物除去部材６５０の収集空間６５３に冷水から除去された異物が詰まった場合、供給貯蔵管６３０又は供給ガイド部材６４０から異物除去部材６５０を分離することができる。そして、異物除去部材６５０の収集空間６５３に集められた異物を外部に捨てた後、異物除去部材６５０は、供給貯蔵管６３０又は供給ガイド部材６４０に再連結することができる。
【０１２２】
例えば、供給ガイド部材６４０には、連結延長部６４３を形成することができる。そして、連結延長部６４３には連結分離孔６４３ａを形成し、異物除去部材６５０には連結分離突起６５４を形成することができる。これにより、異物除去部材６５０の連結分離突起６５４が供給ガイド部材６４０の連結延長部６４３の連結分離孔６４３ａに挿入されることで、異物除去部材６５０を供給ガイド部材６４０に連結することができる。また、異物除去部材６５０の連結分離突起６５４が供給ガイド部材６４０の連結延長部６４３の連結分離孔６４３ａから分離されることで、異物除去部材６５０を供給ガイド部材６４０から分離することができる。
【０１２３】
しかしながら、異物除去部材６５０が供給貯蔵管６３０又は供給貯蔵管６３０に連結される供給ガイド部材６４０に分離可能に連結される構成は特に限定されることはなく、周知のいかなる構成でも可能である。
【０１２４】
また、異物除去部材６５０の構成も特に限定されることはなく、供給貯蔵管６３０の供給孔６３１から排出される冷水を通過させながら異物を除去し、供給貯蔵部材６２０の貯水空間ＳＷに冷水を流動させることができる構成であれば、周知のいかなる構成でも可能である。
【０１２５】
以上のように、本発明による製氷機を用いると、製氷機に含まれる流動部に形成された流動空間を流動する水を、流動部の周りの少なくとも一部を流動する冷媒によって冷却して、氷または冷水を生成することができ、製氷機で氷だけでなく、冷水も生成することができ、且つ製氷機の冷却性能を向上させることができる。
【０１２６】
上記のように説明された製氷機は、上述の実施形態の構成に限定されることはなく、上記実施形態は、各実施形態の全部又は一部を選択的に組み合わせて様々な変形を構成することもできる。
【図１】
2019532244.tif 000003
【図２】
2019532244.tif 000004
【図３】
2019532244.tif 000005
【図４】
2019532244.tif 000006
【図５】
2019532244.tif 000007
【図６】
2019532244.tif 000008
【図７】
2019532244.tif 000009
【図８】
2019532244.tif 000010
【図９】
2019532244.tif 000011
【図１０】
2019532244.tif 000012
【図１１】
2019532244.tif 000013
【図１２】
2019532244.tif 000014
【図１３】
2019532244.tif 000015
【図１４】
2019532244.tif 000016
【図１５】
2019532244.tif 000017
【図１６】
2019532244.tif 000018
【図１７】
2019532244.tif 000019
【図１８】
2019532244.tif 000020
【国際調査報告】
2019532244.tif 000021
2019532244.tif 000022
2019532244.tif 000023
2019532244.tif 000024